(57)【要約】家具の蝶番（１）は取付板（２）を有し、取付板の上には中間片（３）を介して第１の蝶番部分（１６）が固定される。第２の蝶番部分（４）は、第１の蝶番部分（１６）に対して回動可能に配置されると共に、平行リンクのやり方で支持レバー（７）及び案内レバー（９）に結合されている。案内レバー（９）はピストンロッド（２０）を有するダンパ（１２）に結合され、ピストンロッド（２０）は、その長手方向軸線に沿って、支持レバー（７）の軸（８）と第１の蝶番部分（１６）の案内レバー（９）の軸（１０）との間を通過する方向に移動可能になっている。さらに、ダンパ（１２）は、中間片（３）と案内レバー（９）との間のピストンロッド（２０）に沿った方向に配置されている。【選択図】図１
2009528463.tif 000002
【特許請求の範囲】
【請求項１】
取付板（２）を有する家具の蝶番（１，１’，１''，１'''）であって、取付板の上にアダプタ（３）を介して第１の蝶番部分（１６）が固定され、第２の蝶番部分（４）は第１の蝶番部分（１６）に対して回動可能に配置されると共に平行な結合ロッドのような支持レバー（７）及び案内レバー（９）に結合され、案内レバー（９）はピストンロッド（２０）を有するダンパ（１２）に結合され、ピストンロッド（２０）はその長手方向軸線に沿って第１の蝶番部分（１６）における支持レバー（７）の軸（８）と案内レバー（９）の軸（１０）との間を通過する方向に移動可能になっており、ダンパ（１２）はピストンロッド（２０）に沿った方向においてアダプタ（３）と案内レバー（９）との間に配置されていることを特徴とする家具の蝶番。
【請求項２】
アダプタ（３）及び第１の蝶番部分（１６）に設定手段（１４，１５）が設けられていることを特徴とする請求項１に記載の家具の蝶番。
【請求項３】
第１の蝶番部分（１６）は、ダンパ（１２）及びアダプタ（３）が内部に収容されたハウジングとして構成されることを特徴とする請求項１又は２に記載の家具の蝶番。
【請求項４】
案内レバー（９）にはブーム（１１）が設けられ、当該ブームにダンパ（１２）のピストンロッド（２０）が結合されていることを特徴とする請求項１〜３のいずれか一項に記載の家具の蝶番。
【請求項５】
ダンパ（１２）は、回動可能に第１の蝶番部分（１６）に保持されていることを特徴とする請求項１〜４のいずれか一項に記載の家具の蝶番。
【請求項６】
ピストン（２０）の長手方向軸線は、ダンパ（１２）の回動軸を通過することを特徴とする請求項５に記載の家具の蝶番。
【請求項７】
ダンパ（１２）は円筒形のハウジングを有し、当該ハウジングの上に横方向に突出するピン（１３）が設けられ、当該ピンは第１の蝶番部分（１６）の開口部に係合していることを特徴とする請求項１〜６のいずれか一項に記載の家具の蝶番。
【請求項８】
ダンパ（１２）は、閉じる方向に比べて開く方向により低い抵抗を有していることを特徴とする請求項１〜７のいずれか一項に記載の家具の蝶番。
【請求項９】
ダンパ（１２）、第１の蝶番部分（１６）における受入部の中に保持されていることを特徴とする請求項１〜８のいずれか一項に記載の家具の蝶番。
【請求項１０】
閉じた位置において蝶番に予張力を与えるばね（１９）が設けられていることを特徴とする請求項１〜９のいずれか一項に記載の家具の蝶番。
【請求項１１】
ダンパ（１２）は、円筒形の内側チャンバ（２５，２５’）と、当該内側チャンバ（２５，２５’）に結合された延長部（２６，２６’）とを有し、当該延長部は内側チャンバ（２５，２５’）から逸脱した断面形状を有し、当該延長部には体積補償のための補償要素が収容されていることを特徴とする請求項１〜１０のいずれか一項に記載の家具の蝶番。
【発明の詳細な説明】
【技術分野】
【０００１】
本発明は、家具の蝶番に関する。かかる蝶番は家具板を有し、第１の蝶番部分が家具板の上に固定され、第２の蝶番部分が、第１の蝶番部分に対して回動可能に配置されると共に、平行な結合ロッドのような支持レバーと案内レバーに結合される。案内レバーはピストンロッドを有するダンパに結合され、ピストンロッドはその長手方向軸線に沿って第１の蝶番部分における支持レバーの軸と案内レバーの軸との間を通過する方向に移動可能になっている。
【背景技術】
【０００２】
家具の蝶番は、ＤＥ ３７ ４１７１２号から知られており、支持レバー及び案内レバーは、それぞれドアの開口運動を定めるもので、家具のポットとこれに対して回動可能な蝶番部分との間に設けられる。ダンパ要素は、案内レバーに設けられ、これは、蝶番ハウジングの突出部に固定される。ダンパのピストンロッドは、突出部の方向に動き、制動力の経路は比較的短い寸法であり、小型の構造を実現している。加えて、蝶番ハウジングは、特にダンパのためにあつらえられ、他の蝶番には使用されない。さらに、ダンパは蝶番ハウジングに固定されているために、ダンパの機能的能力に影響するであろう横方向の力が生じるだろう。
【０００３】
蝶番のためのダンピングユニットは、ＤＥ２０１ １５２５０号から知られており、ここで、蝶番は家具の部品に固定され、ダンパ要素は蝶番に取り付けられる。ダンパ要素は、別々のハウジングと、ハウジングに対して可動なピストンロッドとを有している。ダンパを有する蝶番の全体的なサイズは、従って、比較的大きく、また、取付けも追加的に複雑である。
【０００４】
ＷＯ ０３／０９３６１６号は、マルチジョイント式の蝶番を開示しており、ここで、複数の回動可能なジョイントリンクが、２つの蝶番部分の間に設けられ、ダンピング装置は、１つの蝶番部分に配置されている。開かれた構造のために、要素の運動中には負傷の危険が存在し、また、蝶番の全体的なサイズは、すべての用途に適してはいない。
【０００５】
ＥＰ １ ５５５３７２号が開示している蝶番においては、ダンパは、蝶番アームの全長にわたって延在している。蝶番の垂直及び横方向の位置の調整を行うには、蝶番アームに導入された部分と一緒に働く、調整ねじを使用し、蝶番アームは対応して、ダンパ体積を提供するために、高い構造を有している。別の据付け状況のために、蝶番を改変する場合には、蝶番アームに対して別の具合では同一の構成であるダンパを用いて、対応するジョイントを有する少なくとも１つの追加的な偏向レバーが据え付けられ、従って、対応する直角な屈曲を許容する。これは、追加的な要素を必要とし、蝶番の複雑さを増加させる。蝶番アームの高さが大きく、調整機構が必要であることに加えて、かさばるダンパが配置されることも、不都合である。
【発明の開示】
【発明が解決しようとする課題】
【０００６】
従って、本発明の目的は、小型に構成されると共に容易に取り付け可能な、制動機能を有する家具の蝶番を提供することである。
【課題を解決するための手段】
【０００７】
この目的は、請求項１の特徴を有する家具の蝶番によって達成される。
【０００８】
本発明による蝶番においては、機能性を損なうことなく蝶番のより小型化された構成を提供するように、ダンパはアダプタと案内レバーとの間のピストンロッドに沿った方向に配置される。従って、ダンパのピストンが蝶番の長手延在方向に対して平行に移動するようにし、また支持レバー及び案内レバーの２つの軸の間に配置されるようにした状態で、ダンパを蝶番のハウジング内に容易に統合することができる。支持レバーと案内レバーとからなる平行な結合ロッドを介して第２の蝶番部分が結合されるので、支持レバーと案内レバーとの軸はいかなる場合も互いに所定の距離をあけて配置されなければならず、構成を小型化するためにダンパのピストンロッドをこの中間空間内で作動させ、蝶番のハウジング構成を拡大しないようにすることができる。特に、構成を小型化するために、ピストンロッドの先端部は、案内レバー及び支持レバーの２つの軸の間の閉じられた位置を通過するとよい。加えて、既存の蝶番の形態は、ダンパを統合するために、それ自体、使用されてもよい。
【０００９】
本発明の好ましい実施形態によれば、設定手段は、ダンパに隣接して配置されたアダプタ及び第１の蝶番部分に設けられている。
【００１０】
第１の蝶番部分は、好ましくは、ダンパ及びアダプタが収容されたハウジングとして構成される。従って、ダンパ及びその他の可動要素は保護された状態で配置され、負傷の危険は減少する。
【００１１】
ブームは、ダンパのピストンロッドが結合される案内レバーに設けられてもよい。従って、家具の蝶番を比較的少数の要素を使用して構成することができ、ピストンロッドを回転可能にブームに結合することができる。加えて、横方向の力がピストンロッド及び周囲のダンパハウジングに全く作用しないように、ダンパは第１の蝶番部分にて回動可能に保持されてもよい。ピストンロッドの方向の力だけがダンパに伝達されるように、蝶番部分におけるダンパの回転軸はピストンロッドの延長上に配置されるとよい。
【００１２】
好ましくは、ダンパは、横方向に突出するピンが設けられた円筒形のハウジングを有し、ピンは、第１の蝶番部分の開口部に係合する。従って、ピンを対応する開口部に挿入することで、ダンパを蝶番部分に容易に取り付けることができる。また同時に、ピンはダンパのハウジングの回転軸を形成することができる。
【００１３】
本発明のさらに別の実施形態によれば、ダンパは、閉じる方向に比べて、開く方向において、より低い抵抗を有している。これは、特に、家具のドアのためには、開く運動が滑らかに生じるが、閉じる際には閉じた位置の直前に制動力が生じることが望ましいからであり、ダンパは本質的に一方向に作用すれば充分である。閉じる際にダンパ及びばねの両方が作用し、そして家具のドアを閉じた位置に保持するため、閉じた位置で家具の蝶番はばねを介して予張力を加えられる。
【発明を実施するための最良の形態】
【００１４】
本発明について、添付図面を参照して、複数の例示的な実施形態に基づいて、以下に詳細に説明する。
【００１５】
家具の蝶番１は取付板２を備え、取付板は例えばねじによって家具の本体に固定することができる。アダプタ３は、ハウジングとして構成される第１の蝶番部分１６の内部に配置され、取付板２の上に配置される。第１の蝶番部分１６は第２の蝶番部分４に関節方式で結合され、この第２の蝶番部分４の上にポット（深鍋部）５が設けられ、ポットは例えば家具のドアに設けられた対応する受入部に挿入可能になっている。第２の蝶番部分４はポット５の周りに板を有し、この板にねじ結合のために開口部６が設けられている。
【００１６】
第２の蝶番部分４は支持レバー７及び案内レバー９を介して第１の蝶番部分１６に関節方式で結合されており、支持レバー７は軸１７を介して第２の蝶番部分４上で回転可能になっており、案内レバー９は軸１８を介して第２の蝶番部分４上で回転可能に配置されている。さらに、支持レバー７を結合する回転軸８と、案内レバー９を結合する回転軸１０とは、第１の蝶番部分１６に結合して設けられる。従って、第１の蝶番部分１６は第２の蝶番部分４に対して回動可能であり、支持レバー７と案内レバー９とは平行な結合ロッドのように回動運動を定める。
【００１７】
ブーム（連結部材）１１は案内レバー９に結合して設けられ、この案内レバー９にダンパが連結される。ダンパ１２は直線的に移動可能なピストンロッド２０を有し、このピストンロッド２０は回転可能にブーム１１に結合されている。板２３はピストンロッド２０に固定され、この板に対して本体２１が押圧され、板２３及び本体２１はダンパ１２の円筒形ハウジング部分の中にて移動可能になっている。シール要素２２は、本体２１の円周に配置される。ダンパ１２は牽引ダンパとして実現され、すなわち制動力はピストンロッド２０がブーム１１を介して引っ張られるときに生じ、一方、反対方向については低下した制動力だけが作用する。従って、家具のドアを開く間には僅かな制動力のみが検出可能であり、一方、家具のドアが閉じる間にはより大きな制動力が提供される。ダンパ１２は、例えば、液圧式又は空気圧式のダンパとして構成されればよい。
【００１８】
ダンパ１２は、ピストンロッド２０の延長線上に配置された軸２４を中心として回転可能に取り付けられている。ピストンロッド２０の長手方向軸線は回転軸２４と交差しており、ピストンロッド２０の方向の力だけがダンパ１２を介して吸収され、横方向の力はダンパ１２を介して吸収されない。軸２４はピンによって外方へ延長され、このピンはハウジング１２に固定される。ピン１３は第１の蝶番部分１６の開口部に係合し、ダンパ１２が第１の蝶番部分１６の中で回動可能に受け入れられる。
【００１９】
ダンパ１２は円筒形の内側チャンバ２５を備え、この内側チャンバ２５の中でピストン本体２１が移動可能になっている。ピストン本体２１がピストンロッド２０と共に動くとき、ダンパの内部におけるピストンロッド２０の体積が増減するので、体積補償を行わなければならない。この目的のために、軸２４に隣接して長方形の延長部２６が設けられており、この延長部２６は、円筒形の内側チャンバ２５よりも小さな好ましくは５０％未満の横断面を有し、ピストンロッド２０に対して平行に延びている。延長部２６は、ピストンロッド２０の軸線に対して横方向にオフセットして配置される。発泡ゴムなどの弾性要素は延長部２６に収容され、これが体積補償を許容する。蝶番ハウジングの内部の据付け空間は、延長部２６の管状の設計によって最適に使用されるだろう。弾性材料に代えて、機械的な補償要素、例えば補償ピストンを延長部２６に受け入れてもよい。
【００２０】
さらにまた、第１の蝶番部分１６には設定機構が設けられており、ねじ１４は接触調整のために設けられ、ねじ１５は深さ調整のために設けられている。第１の蝶番部分１６に、さらに別の調整機構を配置することも可能である。
【００２１】
図２には、開いた位置にある家具の蝶番が示されている。第２の蝶番部分４におけるポット５は、ピストンロッド２０及び第１の蝶番部分１６の長手方向延長線に対して本質的に平行に配置される。閉じるために第２の蝶番部分４は回動し、これによりピストンロッド２０はダンパ１２内にて図３に示す最終位置に達するまで左方に動く。この閉じた位置においては、ピストンロッド２０の先端部は、支持レバー７の回転軸８と案内レバー９の回転軸１０とのほぼ中間に配置されている。ピストンロッド２０の延長線は、少なくとも２つの回転軸８，１０の間に延びている。さらに、ばね１９は回転軸８の周囲に配置され、ばね１９は閉じる動きの終わりにだけ作動し、閉じた位置にて家具の蝶番に予張力を加える。
【００２２】
図４〜図６には、本発明の第２の実施形態による家具の蝶番１’が示されており、この家具の蝶番１’は家具の蝶番１と同様に構成され、同一の要素には同一の参照符号を付している。この例示的な実施形態においては、第１の蝶番部分１６’はいくらかより強い屈曲部として構成され、ダンパ１２は取付板２からいくらかより離れて間隔を隔てて取り付けられている。これは別の開き動作が行われることを許容し、再び第２の蝶番部分４は支持レバー７及び案内レバー９を介して第１の蝶番部分１６’に結合されている。ダンパ１２は、回転軸２４を中心として回動可能に第１の蝶番部分１６’に保持されており、円筒形の内側チャンバ２５’を備えると共に、それぞれ弾性材料で充填された体積補償のための２つの分割されたチャンバ２６’を連続軸２４に隣接して備えている。また、この実施形態においては、図５及び図６に示すように、ピストンロッド２０の延長線は回転軸８及び１０の間に延びている。
【００２３】
図７〜図９には、本発明の第３の実施形態による家具の蝶番１''が示されており、第１の蝶番部分１６''は第２の蝶番部分４に関節方式で結合され、再び支持レバー７及び案内レバー９から形成される平行な結合ロッドが提供される。第１の蝶番部分１６''はダンパ１２のための受入部を有しており、このダンパ１２は、取付板２から上方に突出すると共に、既述の例示的な実施形態に比べてより強い屈曲部を有し、異なる回動動作を許容する。支持レバー７及び案内レバー９の機能とダンパ１２の機能とは既述の例示的な実施形態と同様であるが、しかしながら、ダンパ１２の構成は回転軸２４を中心として回動可能に第１の蝶番部分１６''に固定されるように選択され、ピストンロッド２０はピストンロッド２０の長手方向軸線が支持レバー７及び案内レバー９の回転軸８，１０の間で第１の蝶番部分１６''を通過するように配置されている。
【００２４】
図１０〜図１２には、第４の実施形態による家具の蝶番１'''が示されており、再び同一の要素には同一の参照符号を付している。この実施形態においては、第１の蝶番部分１６'''はさらに強い屈曲部として構成されており、取付板２に対して傾斜して配置されたダンパ１２のための受入部を有している。ポット５を有する第２の蝶番部分４は再び支持レバー７及び案内レバー９を介して第１の蝶番部分１６'''に固定されており、第２の蝶番部分４と第１の蝶番部分１６'''との間の相対的な運動は平行な結合ロッドのように定められる。ダンパ１２は第１の蝶番部分１６'''の受入部に受け入れられて保護されており、ピストンロッド２０は支持レバー７及び案内レバー９の回転軸８と回転軸１０との間を通過する長手方向軸線を有する。再び、ダンパ１２は、軸２４を中心として回転可能に第１の蝶番部分１６'''に配置されている。
【００２５】
従って、同一のダンパ１２を異なる蝶番１，１’，１''，１'''に使用してもよい。様々な設計において、他の要素についても同一の構造を有するものを使用してもよい。
【００２６】
本発明による蝶番の設計の本質的な利点は、一方においては蝶番のアーム／アダプタ／接触部及び深さ調整及び取付板の領域の幾何学形状が、他方においては家具のポット／支持部及び案内レバー及びダンパの領域の幾何学形状が、例えば追加的な傾斜を有し／有しない屈曲など、特定の家具の要求条件に適合する目的のためにヒンジの要素が変更されるときにも、不変のままに維持されることである。
【図面の簡単な説明】
【００２７】
【図１】本発明の例示的な実施形態による家具の蝶番を示した斜視図である。
【図２】図１の家具の蝶番について、開いた位置を示した側断面図である。
【図３】図１の家具の蝶番について、閉じた位置を示した側断面図である
【図４】第２の実施形態による家具の蝶番を示した図である。
【図５】第２の実施形態による家具の蝶番を示した図である。
【図６】第２の実施形態による家具の蝶番を示した図である。
【図７】第３の実施形態による家具の蝶番を示した図である。
【図８】第３の実施形態による家具の蝶番を示した図である。
【図９】第３の実施形態による家具の蝶番を示した図である。
【図１０】第４の実施形態による家具の蝶番を示した図である。
【図１１】第４の実施形態による家具の蝶番を示した図である。
【図１２】第４の実施形態による家具の蝶番を示した図である。
【符号の説明】
【００２８】
１，１’，１''，１'''・・・蝶番、２・・・取付板、３・・・アダプタ、４・・・第２の蝶番部分、５・・・ポット、６・・・開口部、７・・・支持レバー、８・・・回動軸、９・・・案内レバー、１０・・・回動軸、１１・・・ブーム、１２・・・ダンパ、１３・・・ピン、１４，１５・・・ねじ、１６，１６’，１６''，１６'''・・・第１の蝶番部分、１７・・・回動軸、１８・・・回動軸、１９・・・ばね、２０・・・ピストンロッド、２１・・・ピストン本体、２２・・・シール要素、２３・・・板、２４・・・回動軸、２５・・・内側チャンバ、２６・・・延長部。
【図１】
2009528463.tif 000003
【図２】
2009528463.tif 000004
【図３】
2009528463.tif 000005
【図４】
2009528463.tif 000006
【図５】
2009528463.tif 000007
【図６】
2009528463.tif 000008
【図７】
2009528463.tif 000009
【図８】
2009528463.tif 000010
【図９】
2009528463.tif 000011
【図１０】
2009528463.tif 000012
【図１１】
2009528463.tif 000013
【図１２】
2009528463.tif 000014
【国際調査報告】
2009528463.tif 000015
2009528463.tif 000016
2009528463.tif 000017
2009528463.tif 000018